(57)【要約】【課題】物体を持ち上げやすく、また運搬しやすくし、着脱可能かつ長さ調整可能な把手を有するベルトを提供する。【解決方法】持ち上げる物体に結束ベルトを巻きつけ、オス型バックル１とメス型バックル２を接続し、持ち上げる物体にきつく巻きついていることを確認する。手提げバッグ状にしたい場合は、結束ベルト上の把手との連結部品５ａそれぞれに、結束ベルトとの連結部品６ａと結束ベルトとの連結部品６ｂを接続する。ショルダーバッグ状にしたい場合は、結束ベルト上の把手との連結部品５ａそれぞれに、結束ベルトとの連結部品９ａと結束ベルトとの連結部品９ｂを接続する。リュック状にしたい場合は、長さ調節可能な把手から肩パッド１１を取り除いたものを２つ用意し、結束ベルト上の把手との連結部品５ａに結束ベルトとの連結部品９ｂを、把手との連結部品５ｂに結束ベルトとの連結部品９ａをそれぞれ接続する。【選択図】図１
2007137516.tif 000002
【特許請求の範囲】
【請求項１】
持ち上げる物体から着脱可能な把手を有する運搬具において、物体結束用の結束ベルトと、結束ベルトから着脱可能な把手と、結束ベルト上を移動できかつ着脱可能な把手と連結するための連結部品を特徴とする運搬具。
【請求項２】
請求項１において、結束ベルトから着脱可能な把手が、長さ調節できるベルトであることを特徴とする運搬具
【請求項３】
請求項１または請求項２において、１つ以上の着脱可能な把手を特徴とする運搬具。
【発明の詳細な説明】
【技術分野】
【０００１】この考案は、持ち上げにくい物体に対して、把手部分を装着することにより物体を持ち上げやすくし、着脱可能かつ長さ調整可能な把手を有するベルトに関するものである。
【背景技術】
【０００２】従来の着脱可能な把手は主に、把手部分が硬質物、把手と持ち上げる物体を結束する部分にビニールテープ等の紐状のものが使用されている。その他既存のものに、対応したバッグから着脱可能な把手、物体のサイズにとらわれずリュックとして扱える結束ベルトがある。また、持ち上げる物体を結束するベルトと把手部分が１本のベルトで構成されているものがある。
【発明の開示】
【発明が解決しようとする課題】
【０００３】従来の着脱可能な把手は主に、把手と持ち上げる物体を固定・結束する部分にビニールテープ等を使用していたため、持ち上げる物体の形やサイズが替わった場合は、把手部分以外は再利用できない。また、手で持つことを前提に作られているため、ショルダーバッグのように片方の肩に掛けて運搬することや、リュックのように両肩に掛け背負い運搬ことができないという問題点もあった。【０００４】既存の着脱可能ベルトは、対応したバッグ以外のものには使用できないとい欠点があった。【０００５】既存の物体のサイズにとらわれずリュックとして扱える結束ベルトについては、物体を背負うことを前提にしており、把手を使用し手で持つこと、ショルダーバッグのように片方の肩にかけて運搬することが考慮されていない。また物体を人間が背負うことを前提としており、物体が人間では背負いきれない重量の物は扱うことができない。さらに、背負い用の背負ベルトつまり、把手部分が着脱できないという欠点があった。【０００６】持ち上げる物体を結束するベルトと把手部分が１本のベルトで構成されているものは、持ち上げる物体のサイズが代わることにより、把手部分の長さまでもが変わってしまうという欠点があった。【０００７】本発明の運搬具はこのような問題を解決し、物体を持ち上げやすく、また運搬しやすくし、着脱可能かつ長さ調整可能な把手を有するベルトを提供することである。
【課題を解決するための手段】
【０００８】本発明により課題を解決する手段を下記に示す。
（１）持ち上げる物体から着脱可能な把手を有する運搬具において、物体結束用の結束ベルトと、結束ベルトから着脱可能な把手と、結束ベルト上を移動できかつ着脱可能な把手と連結するための連結部品を特徴とする運搬具。
（２）上記（１）において、結束ベルトから着脱可能な把手が、長さ調節できるベルトであることを特徴とする運搬具
（３）上記（１）または（２）において、１つ以上の着脱可能な把手を特徴とする運搬具。【０００９】「結束ベルト」とは、持ち上げる物体に巻きつける結束ベルトを指す。持ち上げる物体の大きさに合わせて、長さを調節できることとする。本ベルトは持ち上げる物体に直接触れ支える部分となるため、ベルト自身が動かないように長さ調整をし、きつく巻きつける。また、持ち上げる物体にきつく巻きつけた本ベルトを、一定の条件で意識的に、簡単に外せるような部品を、ベルトの両端につける。【００１０】「結束ベルトから着脱可能な把手」とは、物体を落ち上げる主が直接触れる部分である。下記００１１の連結部品により、上記０００９示す結束ベルトと連結する。上記０００８（２）における、長さ調節できるベルトも同様である。【００１１】「結束ベルト上を移動できかつ着脱可能な把手と連結するための連結部品」は、上記０００９に示す結束ベルトと、上記００１０に示す把手を接続する連結部品のことを指す。この連結部品は上記０００９に示す結束ベルト上を移動できるものとする。ただし、結束ベルトを持ち上げる物体に巻きつけ、物体を持ち上げるときには移動できないものとする。【００１２】持ち上げる物体１つに対して使用する、結束ベルトと、結束ベルトと把手との連結部品と、把手の個数はいくつでもよく、個数の限定はしない。【００１３】持ち上げる物体の運搬手段の変更、つまり把手の使用方法が変更になっても、把手の着脱が簡単に行えるように、結束ベルト上を移動できかつ着脱可能な把手と連結するための連結部品を、余分に結束ベルト上に用意しておくことが好ましい。【００１４】上記００１３の例を示す。把手部分が１つで構成可能な「手提げバッグ型、ショルダーバッグ型」から、把手部分が２つで構成される「リュック型」へ変更することを想定して、結束ベルト上を移動できかつ着脱可能な把手と連結するための連結部品を３つまたは４つ、初めから結束ベルト上に用意しておく。このことにより、把手の着脱が簡単に行える。【００１５】本発明の運搬器具を使用し、持ち上げる手段は限定しない。つまり本発明を利用した物体を持ち上げようとするものが、人間であっても重機やその他であってもよい。【００１６】本発明を構成する部品は、重い物体を支える程度の強度を有していればよく、材質は限定されない。【００１７】同時に結束し、持ち上げる物体の個数はいくつでもよく、限定されない。【００１８】本発明を構成する部品の色には特に限定は無く、持ち上げる物体の色に合わせて各種の色彩を適宜採用することができる。
【発明の効果】
【００１９】持ち上げる物体の形やサイズが替わった場合でも、把手と持ち上げる物体を固定・結束する部分と、把手を再利用可能とする。また、手で持つだけでなく肩掛けやリュックのように両肩に掛けて運搬可能とする。【００２０】持ち上げにくい物体に対して、把手を用意することにより物体を持ち上げやすく、また運搬しやすくすることを可能とする。
【発明を実施するための最良の形態】
【００２１】以下、本発明を図面により説明する。【００２２】図１は本発明の基本的な使用例である。図２は結束ベルトの全体図である。図３は把手と、長さ調節可能な把手の全体図である。図４は結束ベルト上の把手との連結部品の作成手順である。図５は結束ベルト２つを持ち上げる物体に巻きつけたときの前面図と背面図である。図６は結束ベルト３つを持ち上げる物体に巻きつけ、リュックとして使用するときの図である。図７と図８は、図１以外の使用方法例の図である。図９は結束ベルト３つを使用し結束ベルトから持ち上げる物体がより落ちないようにする使用方法を示した図である。【００２３】図２は、結束ベルトの全体図である。ベルト３上に把手との連結部品５ａと把手との連結部品５ｂを通し、ベルト３の両端にそれぞれオス型バックル１とメス型バックル２を取り付ける。オス型バックル１の部分でベルト３の長さを調節できるようにし、ベルト３の余剰部分をベルト余剰部分４とする。オス型バックル１からベルト余剰部分４を引くことにより、結束ベルト全体の長さを調節する。【００２４】図３は、（ａ）把手と、（ｂ）長さ調節可能な把手の全体図である。図３（ａ）把手はニギリ７にニギリ用ベルト８を通し、ニギリ用ベルト８の両端にフック状の結束ベルトとの連結部品６ａと結束ベルトとの連結部品６ｂを取り付ける。図３（ｂ）長さ調節可能な把手は肩掛け用ベルト１０に肩パッド１１を通し、肩掛け用ベルト１０の片端にフック状の結束ベルトとの連結部品９ｂを取り付ける。肩掛けベルト１０は、長さ調整用バックル１２を一度通した後、フック状の結束ベルトとの連結部品９ａを通して折り返し、再び長さ調整用バックル１２を通し、肩掛け用ベルト１０の余剰部分をまとめる。【００２５】図４は、結束ベルト上の把手との連結部品５ａと５ｂの作成手順である。図４（ｂ）に示すようにバックル１４とリング１３を重ね、図４（ｃ）に示すように、バックル１４とリング１３にベルト３を通す。ベルト３を緩めることにより、バックル１４とリング１３はベルト３上を一緒に動くことができ、ベルト３を締めることによりバックル１４とリング１３はベルト３上を動くことができなくなる。【００２６】図１と図５を元に、本発明の使用方法を説明する。図５は結束ベルト２つを持ち上げる物体に巻きつけたときの前面図と背面図である。はじめに、持ち上げる物体に結束ベルトを軽く巻きつけ、オス型バックル１とメス型バック２を接続したときに結束ベルトが持ち上げる物体をきつく締め付けられるように、ベルト余剰部分４を引き長さ調節をする。またこのときに、把手との連結部品５ａと５ｂの位置を決める。結束ベルトの長さと、把手との連結部品５ａと５ｂの位置が決まったら、オス型バックル１とメス型バックル２を接続し、持ち上げる物体にきつく巻きついていることを確認する。【００２７】本発明の基本的な使用方法として図１に示すような使い方を実現するため、結束ベルトは図５に示すように、２つ平行に巻きつける。図５に示すように結束ベルトの準備ができたら、図３に示す把手部分を結束ベルトに接続する。【００２８】図１（ａ）のように、手提げバッグ状にしたい場合は、結束ベルト上の把手との連結部品５ａのリング１３部分それぞれに、結束ベルトとの連結部品６ａと結束ベルトとの連結部品６ｂを接続する。【００２９】図１（ｂ）のようにショルダーバッグ状にしたい場合は、結束ベルト上の把手との連結部品５ａのリング１３部分それぞれに、結束ベルトとの連結部品９ａと結束ベルトとの連結部品９ｂを接続する。【００３０】図１（ｃ）のようにリュック状にしたい場合は、図３（ｂ）長さ調節可能な把手から肩パッド１１を取り除いたものを２つ用意し、結束ベルト上の把手との連結部品５ａのリング１３部分に結束ベルトとの連結部品９ｂを、把手との連結部品５ｂのリング１３部分に結束ベルトとの連結部品９ａをそれぞれ接続する。【００３１】図６は、結束ベルト３つを持ち上げる物体に巻きつけ、図１（ｃ）では使いにくい場合に使用する例である。図６（ａ）前面図、図６（ｂ）背面図、図６（ｃ）使用図である。図１（ｃ）同様に、結束ベルト上の把手との連結部品５ａのリング１３部分に結束ベルトとの連結部品９ｂをそれぞれ接続する。ただし、結束ベルト上の把手との連結部品５ｂは図６に示す５ｃの位置にし、把手との連結部品５ｃのリング１３部分に結束ベルトとの連結部品９ａを接続する。５ｃを有する中央の結束ベルトは、把手との連結部品５ａまたは５ｂのいずれかひとつがあればよいので、把手との連結部品５ｃのみ用意してある。【００３２】図８は、図１（ａ）と図１（ｃ）の機能をまとめたものである。【００３３】図９は、結束ベルト３つを使用し結束ベルトから持ち上げる物体がより落ちにくいようにする使用方法を示した図である。図９（ａ）前面図、図９（ｂ）背面図である。３つめに用意した結束ベルトは、元の結束ベルト２つから持ち上げる物体が落ちないようにするためのものであるため、把手との連結部品５ａと５ｂは取り付けてはいないが、取り付けていても問題は無い。補強パッド１５を用意し、結束ベルトの十字が崩れないようにする。
【実施例１】
【００３４】パソコン用のインナーバックは把手が付いておらず持ちにくい。そのためインナーバックを入れるためのバックをわざわざ用意するのは煩わしい。本発明の運搬具を取り付けることにより、インナーバックは手提げやショルダーバックとして使用できる。
【実施例２】
【００３５】書類を入れるケースも把手が付いていないものが存在する。これらに対しても、本発明を使用することにより、実施例１と同様の使い方ができる。
【実施例３】
【００３６】ブックバンドを使用しまとめた本には、持ちやすい把手が無い。これらに対しても、本発明を使用することにより、実施例１と同様の使い方ができる。
【実施例４】
【００３７】実施例３のように直接、本に対して本発明を利用してもよいが、まとめたい本が入るくらいのケースがあれば、そのケースが本を入れるためのバッグとして利用できる。例えば、Ａ４サイズの書類を入れるケースがあれば、たいていの本は入れることができる。
【実施例４】
【００３８】サイドに穴状の把手を有するダンボール箱は、持ち上げる際に箱の重量に耐え切れず穴状の把手が破れ、ダンボール箱が壊れてしまうほどの重量の箱でも、本発明の運搬具を使用すれば箱を壊さず運搬が可能である。図７に使用方法例の図を示す。図７（ａ）前面図、図７（ｂ）背面図、図７（ｃ）〜（ｄ）が使用例である。図７（ａ）や図７（ｂ）に示すように、図３（ａ）の把手を２つ使用することにより、両手で持ち上げることを可能とする。また、図３（ａ）と図３（ｂ）を使用することにより、肩や首に掛けつつ、手で持ち上げることが可能である。サイドに穴状の把手がないダンボール箱などにも同様に使用が可能である。
【図面の簡単な説明】
【図１】本発明の基本的な使用例を示した斜視図である。
【図２】結束ベルトの全体図である。
【図３】把手と、長さ調節可能な把手の全体図である。
【図４】結束ベルト上の把手接続具の作成手順を示した全体図である。
【図５】結束ベルト２つを持ち上げる物体に巻きつけたときの前面と背面を示した斜視図である。
【図６】結束ベルト３つを持ち上げる物体に巻きつけ、リュックとして使用するときを示した斜視図である。
【図７】図１以外の使用方法例を示した斜視図である。
【図８】図１以外の使用方法例を示した斜視図である。
【図９】結束ベルト３つを使用し結束ベルトから持ち上げる物体がより落ちないようにする使用方法を示した斜視図である。
【符号の説明】
１  オス型バックル
２  メス型バックル
３  ベルト
４  ベルト余剰部分
５ａ  把手との連結部品
５ｂ  把手との連結部品
５ｃ  把手との連結部品
６ａ  結束ベルトとの連結部品
６ｂ  結束ベルトとの連結部品
７  ニギリ
８  ニギリ用ベルト
９ａ  結束ベルトとの連結部品
９ｂ  結束ベルトとの連結部品
１０  肩掛け用ベルト
１１  肩パッド
１２  長さ調整用バックル
１３  リング
１４  バックル
１５  補強パッド
【図１】
2007137516.tif 000003
【図２】
2007137516.tif 000004
【図３】
2007137516.tif 000005
【図４】
2007137516.tif 000006
【図５】
2007137516.tif 000007
【図６】
2007137516.tif 000008
【図７】
2007137516.tif 000009
【図８】
2007137516.tif 000010
【図９】
2007137516.tif 000011